(57)【要約】【課題】土壌汚染調査ボーリングにおいて、筒状長尺のサンプリングチューブから容易に土壌試料を取り出せ、状態を観察でき、洗浄が確実かつ容易に実施できるコア採取装置を提供する。【解決手段】軸方向に縦割り構造を持つサンプリングチューブで、端部にビット等を接続するオネジがあるサンプリングチューブ本体２と、縦割り構造サンプリングチューブの片側で本体２と一対となる蓋３と、メネジ１ａと４ａを有し本体２とネジ接続することで、本体２と蓋３を固定するビット１とロッドカップリング４で構成されるコア採取装置で、ビット１とロッドカップリング４のいずれかもしくは両方を、完全に外さなくても蓋部品が開放でき、結果、本体に軸方向に長い開口部ができ、本体内部の土壌試料は観測かつ取り出し容易で、洗浄作業も確実に行うことができる。【選択図】図１
0003129742.tif 000002
【実用新案登録請求の範囲】
【請求項１】
軸方向に縦割り構造を持つサンプリングチューブで、少なくとも片端にビット等を接続するオネジがあるサンプリングチューブ本体と、縦割り構造サンプリングチューブの片側で本体と一対となる蓋部材と、メネジを有し本体とネジ接続することで、本体と蓋部材を固定するビットやカップリング等の固定部品からなるコア採取装置で、前記本体の縦割り部分は１８０度を超える周方向断面を有し、前記蓋部材の縦割り部分は１８０度未満の周方向断面を有し、一対となって概ね円周を形成することを特徴とする、コア採取装置。
【請求項２】
上記コア採取装置のサンプリングチューブ本体のオネジは、概ね完全な状態で両端にあって、蓋部材の両端はネジ接続構造の一部を形成するがネジ山はなく、ビット等の先端側の固定部品とロッドカップリング等の後端側の固定部品のメネジと本体のオネジとを接続して蓋部品を固定する構造であって、前後の固定部品のいずれかもしくは両方を、完全に外さなくても蓋部品を開放して本体と分割することができることを特徴とするコア採取装置。
【請求項３】
上記コア採取装置のサンプリングチューブ本体において、内径Ｄ１と長さＬ２の積と、蓋部品に覆われる開口部の開口幅Ｌ３と開口長さＬ４の積の比（Ｌ３×Ｌ４）／（Ｄ１×Ｌ２）が、０．２５以上０．９５未満であることを特徴とする、請求項１または２に記載のコア採取装置。
【請求項４】
上記コア採取装置の固定部品は、先端側固定部品の外径は本体の外径に比べて、同等かもしくは大きく、後端側固定部品の外径は先端側固定部品の外径に比べて、同等かもしくは小さいことを特徴とする、請求項１または２に記載のコア採取装置。
【考案の詳細な説明】
【技術分野】
【０００１】  この考案は地質調査に用いられるコア採取装置に関するものである。
【背景技術】
【０００２】  近年、有害物質による土壌汚染が社会問題となっており、汚染状況を調べるためにボーリング調査がおこなわれる。この汚染調査は調査地域で規則的に複数のボーリング調査をすることが多く、正確な汚染状況把握のため、土壌試料の撹乱防止と地質構造の詳細な検討が重要である。
この分野で従来広く用いられている装置として、サンプリングチューブ内に筒状の袋を収縮させて収納し、コアを採取する際に袋体を被覆するように構成したコア採取装置（特許番号３０１０４７２）があるが、スムーズに採取が完了しても採取後は袋体が廃棄物となるし、採取中に袋体が破けてしまう場合など、試料が不完全な状態となり、かつ、サンプリングチューブ内に土壌試料が粘着することも多い。【０００３】  このため、コア採取装置の有効長さを１ｍとした場合、１ｍ試料採取するたびに廃棄物が発生し、環境負荷が高い。また、不完全な状態の試料は適切な調査結果を得ることができないばかりか、サンプリングチューブ内に粘着した土壌試料を洗浄するには、細長いチューブ内を両端からブラシ等を挿入して洗浄するが、時間がかかり不経済であったり、洗浄が不完全で土壌試料撹乱を起こし、浄化工事の計画に混乱をきたすこともある。
【考案の開示】
【考案が解決しようとする課題】
【０００４】  この考案は上記のような技術的背景に基づいてなされたものであり、確実なコア採取、環境負荷の低減、土壌試料の撹乱を防止するコア採取装置の提供を目的としている。
【課題を解決するための手段】
【０００５】  この考案は上記課題を解決するために次のような手段をとる。
軸方向に縦割り構造を持つサンプリングチューブで、端部にビット等を接続するオネジがあるサンプリングチューブ本体と、縦割り構造サンプリングチューブの片側で本体と一対となる蓋部材と、メネジを有し本体とネジ接続することで、本体と蓋部材を固定するビット等の固定部品からなるコア採取装置で、
前後の固定部品のいずれかもしくは両方を、完全に外さなくても蓋部品が開放でき、結果、本体に軸方向に長い開口部ができ、
本体内部の土壌試料は観測かつ取り出し容易で、廃棄物が発生せず、作業後の洗浄は開口部を有していることから容易で確実に行うことができることを特徴とするコア採取装置にある。
【考案の効果】
【０００６】  この考案の提供により、確実なコア採取、環境負荷の低減、土壌試料の撹乱を防止するコア採取装置が得られ、地質調査の特に土壌汚染調査ボーリングに関し、極めて有効な結果効果を得ることができる。
【考案を実施するための最良の形態】
【０００７】  この考案の実施の形態を図面を参照しながら以下に説明する。
図１はこの考案のコア採取装置の構造を示す断面図である。
１はコア採取装置の刃先をなすビットであり、先端側の固定部品である。
２はサンプリングチューブ本体。
３は蓋。
４はドリルロッド等に接続するロッドカップリングであり、後端側の固定部品である。
ビット１とロッドカップリング４には、本体に接続するメネジ１ａと４ａがあり、
はめ合い固定の段部１ｂと４ｂがそれぞれ設けられている。
ロッドカップリングの他端４ｃは、図示しないが掘削機にまで延長して接続するドリルロッドに接続するメネジである。
本体２の両端はオネジ２ａであり、はめ合い固定の段部２ｂが設けられ左右対称である。
蓋３の両端にははめ合い固定される段部３ａがあり左右対称である。【０００８】  図２は本体の寸法関係を示す図である。本体２の内径Ｄ１と長さＬ２、開口部の開口幅Ｌ３と開口長さＬ４の積の比（Ｌ３×Ｌ４）／（Ｄ１×Ｌ２）は、０．２５以上０．９５未満である。
この数値が０．２５未満の場合、開口面積が狭く洗浄や土壌試料の取り出し作業に支障をきたして不都合であり、一方０．９５を超過すると、必要な強度が得られず、短期間で破損事故を生じたりする原因となり不都合である。【０００９】  図３はビット１、本体２、ロッドカップリング４の外径を示す図である。ビット１の外径Ｄｂは、本体２の外径ＤｈとＤｈ≦Ｄｂ、ロッドカップリング４の外径ＤｒとＤｒ≦Ｄｂの関係にある。
ビット１は刃先部品であり、外径Ｄｂが本体２やロッドカップリング４の外径より小さい場合、掘削抵抗や引き抜き時の抵抗が過大となり不都合を生じるが、上記要件を満たすことで左記不都合が生じるおそれが解消される。
【実施例】
【００１０】  また、図３はこの考案のコア採取装置の組立図で土壌試料５を採取した状態の図である。ビット１の刃先が角度を６０度程度にすることで、打込式簡易掘削機などで良好な状態の土壌試料を採取できる。【００１１】  図４はコア採取装置からの土壌試料を取り出す実施例を示す図である。
ビット１もしくはロッドカップリング４のいずれかもしくは両方を必要長さネジ戻しすることで蓋３を取り外すことができ、地層状態の確認や薬さじ６で試料を取り出せる。コア採取装置の長さが掘削長さに比べて十分に長い場合は、ロッドカップリング４付近は清浄が保たれた状態にあるので、分解洗浄の必要がなく、ビット１のみ分解して洗浄すればよいため、作業が省略でき好都合である。【００１２】  図５はコア採取装置を洗浄する作業の実施例を示す図で、ビット１とロッドカップリング４と本体２を分解し、洗浄具７で洗浄して状態を目視確認できる。
【産業上の利用可能性】
【００１３】  以上のように、ビットあるいはロッドカップリングのどちらかをわずかにネジ戻しするだけで、筒状長尺のコア採取装置の本体をなすサンプリングチューブから容易に土壌試料を取り出せ、状態を観察でき、洗浄が確実かつ容易に実施できる。このことから、従来技術における廃棄物発生、洗浄困難、洗浄不備によるサンプリングチューブ内の残留試料に起因する不適切な調査は解消され、調査現場でのコスト低減効果は高い。さらに不確実な土壌汚染調査ボーリングは、高額な土地取引のトラブルに発展することも多く、本考案が寄与する産業上の利用価値は高い。
【図面の簡単な説明】
【００１４】
【図１】この考案のコア採取装置の構造を示す断面図である。
【図２】この考案のコア採取装置の本体の寸法関係を示す図である。
【図３】この考案のコア採取装置の組立図で、土壌試料５を採取した状態と、ビット１、本体２、ロッドカップリング４の外径を示す図である。
【図４】この考案のコア採取装置から土壌試料を取り出す実施例を示す図である。
【図５】この考案のコア採取装置を洗浄する作業の実施例を示す図である。
【符号の説明】
【００１５】１：ビット
１ａ：本体に接続するメネジ
１ｂ：はめ合い固定の段部
２：サンプリングチューブの本体
２ａ：オネジ
２ｂ：はめ合い固定の段部
３：蓋。
３ａ：はめ合い固定の段部
４：ロッドカップリング
４ａ：本体に接続するメネジ
４ｂ：はめ合い固定の段部
４ｃ：ドリルロッドに接続するメネジ
５：土壌試料
６：薬さじ
７：洗浄具
【図１】
0003129742.tif 000003
【図２】
0003129742.tif 000004
【図３】
0003129742.tif 000005
【図４】
0003129742.tif 000006
【図５】
0003129742.tif 000007
【手続補正書】
【提出日】平成18年11月29日(2006.11.29)
【手続補正１】
【補正対象書類名】実用新案登録請求の範囲
【補正対象項目名】請求項２
【補正方法】変更
【補正の内容】
【請求項２】
コア採取装置のサンプリングチューブ本体のオネジは、概ね完全な状態で両端にあって、蓋部材の両端はネジ接続構造の一部を形成するがネジ山はなく、ビット等の先端側の固定部品とロッドカップリング等の後端側の固定部品のメネジと本体のオネジとを接続して蓋部品を固定する構造であって、前後の固定部品のいずれかもしくは両方を、完全に外さなくても蓋部品を開放して本体と分割することができることを特徴とする請求項１に記載のコア採取装置。